【手続補正書】
【提出日】平成18年1月25日(2006.1.25)
【手続補正１】
【補正対象書類名】明細書
【補正対象項目名】発明の名称
【補正方法】変更
【補正の内容】
【発明の名称】遊技場情報配信装置
【手続補正２】
【補正対象書類名】明細書
【補正対象項目名】特許請求の範囲
【補正方法】変更
【補正の内容】
【特許請求の範囲】
【請求項１】
遊技場に設置された遊技機に関する各種の情報を顧客に電子メールで配信する遊技場情報配信装置において、
情報記憶手段と、メールアドレス記憶手段と、抽出条件入力手段と、配信情報作成手段と、送信手段とを備え、
前記情報記憶手段は、遊技場に設置された遊技機に関する各種の情報を収集し記憶するものであり、
前記メールアドレス記憶手段は、情報の配信を希望する顧客の電子メールアドレスを登録するものであり、
前記抽出条件入力手段は、遊技場側の操作者から、情報の抽出条件の入力を受け付けるものであり、
前記配信情報作成手段は、前記抽出条件入力手段を通じて遊技場側の操作者が指定した抽出条件に従って前記情報記憶手段を検索し、抽出した情報に基づいて、顧客に配信する配信情報を作成するものであり、
前記送信手段は、前記メールアドレス記憶手段に登録されている電子メールアドレスの示す宛先に前記配信情報作成手段が作成した配信情報を送信するものであることを特徴とする遊技場情報配信装置。
【請求項２】
情報の配信を希望する顧客が自身の電子メールアドレスを入力するための入力端末を遊技場内に設置し、
前記入力端末を通じて入力された電子メールアドレスを前記メールアドレス記憶手段に登録することを特徴とする請求項１に記載の遊技場情報配信装置。
【請求項３】
前記情報記憶手段は、１日の特賞発生回数を少なくとも当日および過去数日間について遊技機ごとに記憶する機能を備え、
前記抽出条件入力手段は、抽出条件として、少なくとも対象期間と、遊技機の機種と、特賞発生回数の上位から何台分抽出するかを示す抽出する台数の入力が可能なものであり、
前記配信情報作成手段は、前記抽出条件入力手段を通じて遊技場側の操作者が指定した対象日と、遊技機の機種と、抽出する台数とを抽出条件として前記情報記憶手段を検索し、抽出した情報に基づいて、顧客に配信する配信情報を作成する機能を有するものであることを特徴とする請求項１または２に記載の遊技場情報配信装置。
【請求項４】
複数の機種を同時に選択可能とし、
指定された抽出台数分の遊技機を選択された機種ごとに抽出するか、選択されたすべての機種の中から抽出台数分の遊技機を抽出するかを切り替え可能に構成したことを特徴とする請求項３に記載の遊技場情報発信装置。
【請求項５】
遊技場側の操作者が付加情報を入力するための付加情報入力手段を備え、
前記配信情報作成手段は、抽出した情報に前記付加情報入力手段を通じて指定された付加情報を付加した配信情報を作成するものであることを特徴とする請求項１、２、３または４に記載の遊技場情報配信装置。
【請求項６】
前記メールアドレス記憶手段に記憶している電子メールアドレスをバックアップ記憶するための補助記憶装置を有することを特徴とする請求項１、２、３、４または５に記載の遊技場情報配信装置。
【請求項７】
配信すべき顧客の電子メールアドレスの抽出条件の入力を遊技場側の操作者から受け付けるアドレス抽出条件入力手段と、前記アドレス抽出条件入力手段を通じて遊技場側の操作者から指示された抽出条件にしたがって前記メールアドレス記憶手段を検索し、抽出条件に合う電子メールアドレスを抽出する配信先抽出手段とを備え、
前記送信手段は、前記メールアドレス記憶手段に登録されている電子メールアドレスの示す宛先に代えて前記配信先抽出手段が抽出した電子メールアドレスの示す宛先に前記配信情報作成手段が作成した配信情報を送信するものであることを特徴とする請求項１、２、３、４、５または６に記載の遊技場情報配信装置。
【請求項８】
メールアドレス記憶手段には、前記登録する電子メールアドレスとは別に該電子メールアドレスに関連付けられた関連情報が対応付けられて記憶され、
前記アドレス抽出条件入力手段は、前記関連情報を電子メールアドレスの抽出条件として入力し得るものであり、
前記配信先抽出手段は、前記アドレス抽出条件入力手段から入力された関連情報に基づいて前記メールアドレス記憶手段を検索して抽出条件に合う電子メールアドレスを抽出する機能を有するものであることを特徴とする請求項７に記載の遊技場情報配信装置。
【請求項９】   顧客に配信する配信情報の内容を表示する表示手段と、遊技場側の操作者から送信指示を入力するための送信指示入力手段とを備え、
前記送信手段は、前記表示手段に表示された配信情報の内容を確認した遊技場側の操作者から前記送信指示入力手段を通じて送信指示を受けたとき、前記配信情報を送信するものであることを特徴とする請求項１、２、３、４、５、６、７または８に記載の遊技場情報配信装置。
【手続補正３】
【補正対象書類名】明細書
【補正対象項目名】０００１
【補正方法】変更
【補正の内容】
【０００１】
【発明の属する技術分野】
本発明は、遊技場および遊技場に設置された遊技機に関する各種の情報を顧客に電子メールで配信する遊技場情報配信装置に関する。
【手続補正４】
【補正対象書類名】明細書
【補正対象項目名】０００５
【補正方法】変更
【補正の内容】
【０００５】
本発明は、以上のような従来技術が有する問題点に着目してなされたもので、遊技場の経営状態が知られることなく、遊技情報を電子メールで顧客に配信することのできる遊技場情報配信装置を提供することを目的としている。
【手続補正５】
【補正対象書類名】明細書
【補正対象項目名】０００６
【補正方法】変更
【補正の内容】
【０００６】
【課題を解決するための手段】
かかる目的を達成するための本発明の要旨とするところは、次の各項の発明に存する。
［１］遊技場に設置された遊技機に関する各種の情報を顧客に電子メールで配信する遊技場情報配信装置において、
情報記憶手段（８３１、８２４）と、メールアドレス記憶手段（８３２）と、抽出条件入力手段（８０２、１６００）と、配信情報作成手段（８２６）と、送信手段（８１０、８４０、３０）とを備え、
前記情報記憶手段（８３１、８２４）は、遊技場に設置された遊技機に関する各種の情報を収集し記憶するものであり、
前記メールアドレス記憶手段（８３２）は、情報の配信を希望する顧客の電子メールアドレスを登録するものであり、
前記抽出条件入力手段（８０２、１６００）は、遊技場側の操作者から、情報の抽出条件の入力を受け付けるものであり、
前記配信情報作成手段（８２６）は、前記抽出条件入力手段（８０２、１６００）を通じて遊技場側の操作者が指定した抽出条件に従って前記情報記憶手段（８３１、８２４）を検索し、抽出した情報に基づいて、顧客に配信する配信情報を作成するものであり、
前記送信手段（８１０、８４０、３０）は、前記メールアドレス記憶手段（８３２）に登録されている電子メールアドレスの示す宛先に前記配信情報作成手段（８２６）が作成した配信情報を送信するものであることを特徴とする遊技場情報配信装置。
【手続補正６】
【補正対象書類名】明細書
【補正対象項目名】０００８
【補正方法】変更
【補正の内容】
【０００８】
［３］前記情報記憶手段（８３１、８２４）は、１日の特賞発生回数を少なくとも当日および過去数日間について遊技機ごとに記憶する機能を備え、
前記抽出条件入力手段（８０２、１６００）は、抽出条件として、少なくとも対象期間と、遊技機の機種と、特賞発生回数の上位から何台分抽出するかを示す抽出する台数の入力が可能なものであり、
前記配信情報作成手段（８２６）は、前記抽出条件入力手段（８０２、１６００）を通じて遊技場側の操作者が指定した対象日と、遊技機の機種と、抽出する台数とを抽出条件として前記情報記憶手段（８３１、８２４）を検索し、抽出した情報に基づいて、顧客に配信する配信情報を作成する機能を有するものであることを特徴とする［１］または［２］に記載の遊技場情報配信装置。
【手続補正７】
【補正対象書類名】明細書
【補正対象項目名】０００９
【補正方法】変更
【補正の内容】
【０００９】
［４］複数の機種を同時に選択可能とし、
指定された抽出台数分の遊技機を選択された機種ごとに抽出するか、選択されたすべての機種の中から抽出台数分の遊技機を抽出するかを切り替え可能に構成したことを特徴とする［３］に記載の遊技場情報配信装置。
【手続補正８】
【補正対象書類名】明細書
【補正対象項目名】００１３
【補正方法】変更
【補正の内容】
【００１３】
［８］前記メールアドレス記憶手段（８３２）には、前記登録する電子メールアドレスとは別に該電子メールアドレスに関連付けられた関連情報が対応づけられ記憶され、
前記アドレス抽出条件入力手段（１８００）は、前記関連情報を電子メールアドレスの抽出条件として入力し得るものであり、
前記配信先抽出手段（８２５）は、前記アドレス抽出条件入力手段（１８００）から入力された関連情報に基づいて前記メールアドレス記憶手段（８３２）を検索して抽出条件に合う電子メールアドレスを抽出する機能を有するものであることを特徴とする［７］に記載の遊技場情報配信装置。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００２９
【補正方法】変更
【補正の内容】
【００２９】
具体的には、電子メールアドレスと１または２以上の関連情報とを組にして記憶しておき、この関連情報の内容を抽出条件として電子メールアドレスを検索して抽出する等である。
【手続補正１２】
【補正対象書類名】明細書
【補正対象項目名】００４１
【補正方法】変更
【補正の内容】
【００４１】
図６および図７は、ホール管理端末機６００を示している。図６はホール管理端末機６００の斜視図であり、図７はホール管理端末機６００の回路構成を示すブロック図である。
【手続補正１３】
【補正対象書類名】明細書
【補正対象項目名】００４２
【補正方法】変更
【補正の内容】
【００４２】
図６に示すようにホール管理端末機６００は、各種操作をする操作手段６７０と、各種の情報を表示する表示手段（ディスプレイ６７１）とを備えている。またホール管理端末機６００には、各種の情報を印刷出力するためのプリンタ６７２が接続されている。
【手続補正１４】
【補正対象書類名】明細書
【補正対象項目名】００７７
【補正方法】変更
【補正の内容】
【００７７】
更に詳細な抽出を行う時は、備考入力欄１８０４に抽出条件を入力し、実行ボタン１８０２を押下することにより抽出が行われる。ソートを行う場合には、ソート選択項目１８０５で、電子メールアドレスか、電子メールアドレス登録日か、備考１か、備考２かを選択し、ソート並順選択項目１８０６により昇順か降順かを選択し、実行ボタン１８０２を押下することにより、条件に合わせたソートが行われる。設定クリアボタン１８０７は、抽出及びソート条件をクリアするボタンである。キャンセルボタン１８０８は、抽出及びソートを行わずに、図１５の電子メール配信情報設定画面１５００に戻るためのボタンである。
【手続補正１５】
【補正対象書類名】明細書
【補正対象項目名】００７８
【補正方法】変更
【補正の内容】
【００７８】
電子メールアドレスは、前記登録日を含め電子メールアドレスに関連付けられた関連情報が登録されており、各種関連情報をＡＮＤやＯＲで結合したものを抽出条件として電子メールアドレスを抽出することができるようになっている。たとえば、登録日の他に、年齢や、来店の頻度などを関連情報として登録し、これら関連情報を用いて図１８に示す各項目に検索条件を入力し検索することで特定の電子メールアドレスを検出することができる。なお、電子メールは、抽出した電子メールアドレスが示す宛先にだけ送信される。
【手続補正１６】
【補正対象書類名】明細書
【補正対象項目名】００８４
【補正方法】変更
【補正の内容】
【００８４】
【発明の効果】
本発明にかかる遊技場情報配信装置によれば、顧客の電子メールアドレスをあらかじめ登録し、遊技場や遊技機についての各種情報のうち遊技場側の経営者等が指定した条件にしたがって抽出した遊技情報だけを電子メールで配信するので、すべての情報が閲覧されて遊技場の経営状態が顧客やライバル店に知られてしまうことを防止しつつ、有用な遊技場情報や遊技機情報を顧客に配信するサービスを行うことができる。